(57)【特許請求の範囲】
【請求項１】
セールシステムであって、
実質的に二等辺三角形のセール（１；１０１）と、
２本のブーム（２、３；１０２、１０３）と、
弧状要素（７；１０７）と、を有し、
前記２本のブームは、前記セール（１；１０１）の実質的に等しい二辺に沿って配置され、二等辺三角形の頂点を形成する方の端部のところでジョイント（４；１０４）によって互いに関節連結され、
前記弧状要素は、前記セールシステムが設けられたボート（Ａ）のデッキに結合され、
ボートの船体に対して横断する軸線（２０；１２０）を中心に枢動可能な２つの端部を有し、デッキから上昇した形態とデッキの上に下降させた形態との間で前記軸線を中心に移動可能であり、
前記２本のブーム（２、３；１０２、１０３）の各々は、結合要素（５、６；１０５、１０６）を前記弧状要素（７；１０７）の上に有し、前記結合要素（５、６；１０５、１０６）は、前記弧状要素（７；１０７）に沿って摺動可能に取付けられるとともに、それぞれのブーム（２、３；１０２、１０３）の一部分に沿って摺動可能に取付けられ、
前記セール（１；１０１）は、前記ボート（Ａ）に対する第２の結合要素を有し、セール自体の向きを調節するための手段は、前記第２の結合要素に作用し、前記２本のブーム（２、３；１０２、１０３）は、ボートの一方の側に下降可能であり、前記弧状要素（７；１０７）は、ボートのデッキの上に下降可能である、セールシステム。
【請求項２】
前記第２の結合要素は、前記ジョイント（４）と一致し、前記セールの向きを調節するための前記手段は、摺動要素（８）を有し、前記ジョイント（４）は、摺動要素（８）に拘束され、摺動要素（８）は、前記ボート（Ａ）の船首に配置されるように構成されたガイド（９）に沿って移動可能である、請求項１に記載のセールシステム。
【請求項３】
前記第２の結合要素は、タイロッド（１３１）に沿って摺動可能に取付けられた結合体（１３０）によって構成され、前記タイロッド（１３１）は、前記セール（１０１）を上昇させて開いたときに前記２本のブーム（１０２、１０３）間で引張られ、前記セールの向きを調節するための前記手段は、前記結合体（１３０）と結合したシートを有する、請求項１に記載のセールシステム。
【請求項４】
前記シート（１３２）のシートリード（１３３）は、支持体によって支持され、前記支持体は、前記デッキに結合させることができる第２の弧状要素（１７１）に沿って摺動可能に取付けられる、請求項３に記載のセールシステム。
【請求項５】
前記ブーム（２、３；１０２、１０３）は、前記セールシステムが取付けられるように構成されたボート（Ａ）の船体の横輪郭に一致する輪郭を有するように形づくられる、請求項１〜４の何れか１項に記載のセールシステム。
【請求項６】
請求項１〜５の何れか１項に記載のセールシステムを有するボート（Ａ）であって、
デッキ自体の上に下降させた前記ブームを収容するように前記デッキの一方の側に構成されたシート、又は、前記ボートの少なくとも一方の側に下降させた前記ブーム（２、３；１０２、１０３）を収容するように船体の前記少なくとも一方の側に形成された室（２００）を有する、ボート。
【発明の詳細な説明】
【技術分野】
【０００１】
本発明は、改善されたセール（帆）システムからなる。更に詳しくは、本発明は、モータで操縦するときにもセーリング用具によって妨げられることがなく、完全に有用な船体を備えたボートを可能にし、且つ、極めて迅速にセーリングボートに変形できる、現時点で単一ボートにおいて組合せることが困難な特徴を組合せることを可能にする革新的なセールシステムに関する。
【背景技術】
【０００２】
この数十年来、ボート自体の２つの使用モードを最適態様で活用することを可能にするハイブリッド式セーリングモータボート方法を求める種々の方法が提案されてきた。
【０００３】
既知の方法は、充分に使用可能なボートを提供しているけれども、ユーザに、実用性及び簡単性の全ての要求を満たすことができる方法を提供するものはなく、モータ操縦特性及びセーリング特性並びにボートの内外のスペースの使用可能性は不変のままである。
【０００４】
本発明により提案する方法が見出すもの、すなわち上記全ての問題点を解決できる革新的なセールシステムを提案することも本発明の範疇にある。
【０００５】
また、本発明により提案する方法は、専らセールによる操縦を行うために作られたボートでも実行できる。
【発明の概要】
【発明が解決しようとする課題】
【０００６】
したがって本発明の特別な目的は、セールシステムであって、実質的に二等辺三角形のセールと、２本のブームと、弧状要素と、を有し、２本のブームは、セールの実質的に等しい二辺に沿って配置され、二等辺三角形の頂点を形成する方の端部のところでジョイントによって互いに関節連結され、弧状要素は、セールシステムが設けられたボートのデッキに結合され、ボートの船体に対して横断する軸線を中心に枢動可能な２つの端部を有し、デッキから上昇した形態とデッキの上に下降させた形態との間で軸線を中心に移動可能であり、２本のブームの各々は、結合要素を弧状要素の上に有し、結合要素は、弧状要素に沿って摺動可能に取付けられるとともに、それぞれのブームの一部分に沿って摺動可能に取付けられ、セールは、ボートに対する第２の（更なる）結合要素を有し、セール自体の向きを調節するための手段は、第２の結合要素に作用し、２本のブームは、ボートの一方の側に下降可能であり、弧状要素は、ボートのデッキ上に下降可能である、セールシステムを提供することにある。
【課題を解決するための手段】
【０００７】
本発明によれば、ボートに対するセールの第２の結合要素は、２本のブームのジョイントと一致し、セールの向きを調節するための手段は、摺動要素を有し、ジョイントは、摺動要素に拘束され、摺動要素は、セールシステムが連結されるように構成されたボートの船首に取付けられるように構成された弧状ガイド又は他の形状のガイドに沿って移動可能である。
【０００８】
また本発明によれば、ボートに対するセールの第２の結合要素は、タイロッドに沿って摺動可能に取付けられた結合体によって形成され、セールを上昇させて開くとき、タイロッドは、２本のブームの間で引張られ、セールの向きを調節するための手段は、結合体に結合されたシート（ロープ）を有する。
【０００９】
タイロッドは、２本のブームのジョイントと反対側の方の端部に結合されるのが有利である。
【００１０】
本発明の他の態様によれば、シート（ロープ）のシートリードは、支持体によって支持され、支持体は、セールシステムが取付けられるように構成されたボートのデッキと結合された第２の弧状要素に沿って摺動可能に取付けられる。
【００１１】
本発明によれば、ブームは、セールシステムが取付けられるように構成されたボートの横輪郭に実質的に一致する輪郭に形づくられることが好ましい。
【００１２】
本発明の目的はまた、上記のように構成されたセールシステムを備えた、商業用ボート又はプレジャーボート、モータボート及び／又はセールを提供することにある。
【００１３】
本発明によれば、ボートはまた、デッキ自体の上に下降されたブームを収容するための、デッキの一方の側に形成されたシート（ロープ）、又はボート自体の少なくとも一方の側に下降されたブームを収容するために船体の少なくとも一方の側に形成された室を有する。
【００１４】
以下、本発明を、特に、制限しないことを目的として例示する添付図面を参照して、好ましい実施形態にしたがって説明する。
【図面の簡単な説明】
【００１５】
【図１】本発明によるセールシステムの第１実施形態を示す概略的な斜視図である。
【図２】休止位置にある本発明によるセールシステムの第１実施形態を示す平面図である。
【図３ａ】折畳み段階にある本発明によるセールシステムの第１実施形態を示す図である。
【図３ｂ】折畳み段階にある本発明によるセールシステムの第１実施形態を示す図である。
【図３ｃ】折畳み段階にある本発明によるセールシステムの第１実施形態を示す図である。
【図４】本発明によるセールシステムの第１実施形態の装置を示す概略図である。
【図５】図４の装置を示す概略的な側面図である。
【図６】本発明によるセールシステムの第１実施形態の細部を示す概略図である。
【図７】ボートの一方の側に下降した閉形態を示す、本発明によるセールシステムの第２実施形態の概略的な正面図である。
【図８】ボートの一方の側に下降した閉形態を示す、本発明によるセールシステムの第２実施形態の側面図である。
【図９】セールの開き上昇段階を示す、本発明によるセールシステムの第２実施形態の概略正面図である。
【図１０】セールの開き上昇段階を示す、本発明によるセールシステムの第２実施形態の側面図である。
【図１１】セールを上昇させて開いたところを示す、本発明によるセールシステムの第２実施形態の概略正面図である。
【図１２】セールを上昇させて開いたところを示す、本発明によるセールシステムの第２実施形態の側面図である。
【図１３】セールが異なる垂直位置にある図１１と同様の図である。
【図１４】セールが異なる垂直位置にある図１２と同様の図である。
【図１５】本発明によるセールシステムのセールを回転させる段階を示す概略図である。
【図１６】本発明によるセールシステムのセールを回転させる段階を示す概略図である。
【発明を実施するための形態】
【００１６】
本発明によるセールシステムの第１実施形態を示す添付図面の図１〜図６を特に参照すると、全体的に参照符号Ａで示すボートの上において、かかるセールシステムがどのように単一の二等辺三角形セール１を含むのかが理解でき、セール１は、２つの長く等しい辺に沿って延びる２本のブーム２、３の間に収容され、且つ、２本のブームを介して制御される。
【００１７】
２本のブーム２、３は、有利には、ボートＡの輪郭に従う輪郭を有し、それにより、２本のブーム２、３をボートＡのデッキの上に又は船体の中に容易に配置することが可能である。
【００１８】
２本のブーム２、３は、船首側の端部においてジョイント４によって互いに関節連結され、ジョイント４は、二等辺三角形すなわちセール１の頂点を定めている。
【００１９】
２本のブーム２、３の各々は、弧状要素７に対するそれぞれの結合要素又は結合箇所５、６を有している。本明細書の記載において、用語「結合箇所」及び「結合要素」は、ブーム及びセールをボートに拘束するための箇所又は要素を示すために同義的に使用される。
【００２０】
結合箇所５、６は、ブーム２、３の長さの実質的に中間の位置にある。
【００２１】
結合箇所５、６は、弧状要素７に沿って摺動可能に取付けられていると共に、それぞれのブーム２、３の一部分に沿って摺動可能に取付けられている。
【００２２】
セールはまた、ボートＡに対する第２の結合要素を有しており、セール自体の向きを調節するための手段が第２の結合要素に作用する。
【００２３】
第１実施形態では、第２の結合要素は、ジョイント４と一致し、セール１の向きを調節するための手段は、摺動要素８を有し、ジョイント４は、摺動要素８に拘束され、摺動要素８は、ボートＡの船首に取付けられるように構成された弧状ガイド又はレール９に沿って移動可能である。
【００２４】
ブーム２、３の結合箇所５、６、及び、ジョイント４と摺動要素８との間の拘束部は両方とも、適当な回転ジョイントを有し、回転ジョイントにより、セール１の操縦を実行することを可能にする。
【００２５】
弧状要素７は、ボートＡの船体を横断する軸線２０を中心に枢動可能な両端部を有し、それにより、弧状要素７をボートＡのデッキの上に収容すること、及び、弧状要素７をデッキから上昇させることができる。
【００２６】
セール１を制御するために、船首におけるセール１すなわちセールシステムの第２の結合要素を形成するジョイント４の位置、及び、ブーム２、３の２つの中間の結合箇所５、６への作用が実行される。
【００２７】
一方、デッキ上のスペースを占めないようにするために、すなわち、モータによる操縦をするために、セールシステムを排除したい場合、２本のブーム２、３をボートＡの一方の側（舷）に下降させ（図２参照）、ボートＡの船体のデッキ上に得られる適当なスペースの内側に収容する。次に、弧状要素７を船首に向かって下降させると、弧状要素７が横断軸線２０を中心に回転し、それにより、デッキが、完全に自由に利用できる状態になる。
【００２８】
図３ａ〜図３ｃは、２本のアーム２、３及び弧状要素７を下降させる段階を概略的に示す。
【００２９】
添付図面に示す第１実施形態において、特に図４及び図５を参照すると、弧状要素７は、ブーム２、３の中間の結合箇所又は結合要素５、６を移動させる運動機構を有し、かかる運動機構は、閉回路をなすケーブルシステム１０を含み、ケーブルシステム１０は、モータシステム１２及びウインチ１３によって作動可能である。
【００３０】
一方の中間の結合箇所又は結合要素の運動機構を図示し且つ説明し、他方の中間の結合箇所又は結合要素の運動機構は、一方の中間の結合箇所又は結合要素の運動機構と同じである。
【００３１】
ブーム２、３の中間の結合箇所又は結合要素５、６は、弧状要素７及び所定形状のガイド１１に沿って移動し、中間の結合箇所又は結合要素５、６の位置は、トロリー２１に拘束された２本のケーブル１０によって制御される。
【００３２】
各ブーム２、３は、それに固定された第２のガイド１７を有し、第２ガイド１７は、ブーム２、３それぞれの中間の結合箇所又は結合要素５、６が、ブーム２、３自体に沿う一部分にわたって摺動することを可能にする。
【００３３】
弧状要素７は、その両端部が軸線２０を中心に枢動するように船体に連結され、ボートＡの船体に対する弧状要素７の角度位置を制御する機構が設けられている。ここに説明する例では、かかる制御機構は、歯車２２を有し、歯車２２により、弧状要素７がボートＡのデッキの上に完全に下降するまでの弧状要素７の傾斜を、電気的又は機械的作動装置（例えば、モータ１４）によって変えることを可能にする。
【００３４】
図６は、セール１の向きを調節するための手段の運動機構の１つの例示実施形態を概略的に示し、かかる運動機構により、船首に配置されたブーム２、３のジョイント４の位置が変更される。図示の方法では、ジョイント４は、２本のケーブル１５の作用を介して、ボートＡの船首の周りに弧状をなす弧状ガイド９に沿って移動し、２本のケーブル１５は、摺動要素８に拘束され、摺動要素８は、実際には、ジョイント４自体が拘束されるトロリーを有する。
【００３５】
２本のブーム２、３のジョイント４を拘束している摺動要素８を、２本のブーム２、３の位置に対して同じ側で又はその反対側で移動させることによって、セール１のセール面を、船体の中心に向かうクリッピング位置、又は、船体の外側に傾けられた旋回位置に保つことができる。
【００３６】
ジョイント４を支持する摺動要素８の位置を制御する２本のケーブル１５はまた、単一のケーブルの両端部であってもよく、単一のケーブルにより、閉回路及び電気モータ１６を介する全体を制御し易くする。
【００３７】
本発明によるセールシステムであれば、上側のビームは、弧状要素７の頂部に向かって上昇させられ、第２ブームは、弧状要素の下方部分にある。
【００３８】
クリッピングの間、２本のブーム２、３のジョイント４は、風下側において、ジョイント４が拘束されている摺動要素８を介して弧状ガイド９に従い、セール１を所望位置に上昇させるまで後方に移動する。
【００３９】
２本のブーム２、３のジョイント４が拘束されている摺動要素８が弧状ガイド９に沿って移動することにより、セール１を素早く上昇させ又は引張る。
【００４０】
一方、旋回中、ジョイント４は、風上側において、ジョイント４が拘束されている摺動要素８を介して弧状ガイド９に従い、セール１が望むように傾くまで後方に移動する。
【００４１】
操縦時のターン及びジャイブは、ブーム２、３の中間結合箇所又は結合要素５、６を弧状要素７に沿って一方のタックから他方のタックまで移動させることによって行われ、弧状要素７は、２つのタックの間にブリッジを形成している。
【００４２】
図７〜図１４は本発明によるセールシステムの第２実施形態を示し、本発明の特徴によれば、かかるセールシステムは、実質的に二等辺三角形のセール１０１を有し、セール１０１は、その実質的に等しい辺に沿って配置された２本のブーム１０２、１０３によって支持され且つ制御される。２本のブーム１０２、１０３は、船首側の端部でジョイント１０４を介して互いに関節連結され、ジョイント１０４は、三角形すなわちセール１０１の頂点を定めている。
【００４３】
２本のブーム１０２、１０３の各々は、弧状要素１０７に対するそれぞれの結合箇所又は結合要素１０５、１０６を有している。
【００４４】
弧状要素１０７は、ボートＡの船体を横断する軸線１２０を中心に枢動可能な両端部を有し、それにより、第１実施形態に関連して説明した制御機構と同様な制御機構（図示せず）を用いて、弧状要素１０７を、ボートＡのデッキの上に下降させたり、デッキから所定の傾斜角度に上昇させたりすることができる。
【００４５】
弧状要素１０７に対する２本のブーム１０２、１０３の結合箇所又は結合要素１０５、１０６は、２本のブーム１０２、１０３の長さの実質的に中間位置にあり、弧状要素１０７に沿って摺動可能に取付けられるとともに、それぞれのブーム１０２、１０３の一部分に沿って摺動可能に取付けられている。
【００４６】
また、本発明の特徴により、セール１０１すなわちセールシステムは、ボートＡに対する第２の結合箇所又は結合要素を有し、セール１０１自体の向きを調節するための手段が第２の結合箇所又は結合要素に作用する。
【００４７】
図７〜図１４に示す実施形態では、第２の結合箇所又は結合要素は、タイロッド１３１に沿って摺動可能に取付けられた結合体１３０によって構成され、セール１０１を上昇させて開いているとき、タイロッド１３１は、２本のブーム１０２、１０３の間で引張られ、セール１０１の向きを調節するための手段は、結合体１３０に結合されたシート（ロープ）１３２を有している。
【００４８】
シート（ロープ）１３２のシートリード１３３が、トロリー形の摺動体によって支持され、この摺動体は、ボートＡのデッキに結合された第２の弧状要素１７１に沿って摺動する。
【００４９】
２本のブーム１０２、１０３のジョイント１０４は、円筒形のヒンジからなり、円筒形のヒンジの軸線は、２本のブーム１０２、１０３によって形成される平面に対して垂直である。
【００５０】
第１実施形態と異なり、ジョイント１０４は、ボートＡに対して拘束されていない。
【００５１】
ジョイント１０４は、２本のブーム１０２、１０３を互いに近づけて閉じ、セール１０１を上昇させないようにすることを可能にし、また、２本のブーム１０２、１０３を互いに引き離して開き、セール１０１を拡げることを可能にする。
【００５２】
弧状要素１０７に対する２本のブーム１０２、１０３の結合箇所又は結合要素１０５、１０６は、ガイド１１１に沿って摺動するトロリーに連結され、ガイド１１１は、ケーブル装置を介して弧状要素１０７自体に沿って定められている。ケーブル装置は、図４に示したケーブル装置と類似し、それを詳細に表していない。
【００５３】
２本のブーム１０２、１０３の各々はまた、それぞれのリニアガイド１１７を有し、結合箇所又は結合要素１０５、１０６は、リニアガイド１１７に沿って案内される。
【００５４】
結合箇所又は結合要素１０５、１０６はまた、セール１０１の操縦を行うことを可能にする適当な回転ジョイントを有している。
【００５５】
２本のブーム１０２、１０３の中間の結合箇所又は結合要素１０５、１０６が弧状要素１０７と２本のブーム１０２、１０３の一部分の両方に沿って摺動することにより、セール１０１の操縦（ホイスト、リフトのバリエーション、ターン、ジャイブ、ドロップダウン）を行うこと、及び、２本のブームをデッキの上に又はボートの船体内に下降させることの両方を可能にする。
【００５６】
他方、弧状要素１０７が軸線１２０を中心に回転できることにより、セールシステムの使用を望まないとき、弧状要素１０７をデッキの上に下降させることが可能であり、セールシステムを使用するとき、セール１０１の垂直方向位置、すなわち、セール１０１の中心位置を調節することが可能である。
【００５７】
２本のブーム１０２、１０３を互いに近づけたり引離したりする操縦は、ケーブル機構によって補助され、ケーブル機構により、セール１０１を開いた状態に配置してその長手方向軸線Ｂを弧状要素１０７によって定められる平面に対して垂直にすることを可能にするとともに、開いたセール１０１をボートＡの船体に対して後方に移動させることを可能にする。
【００５８】
かかるケーブル機構は、等しい長さの２本の第１の固定ケーブル１４０を有し、各第１の固定ケーブル１４０は、それぞれのブーム１０２、１０３に沿って移動可能なトロリーに拘束された一方の端部と、ブロック１４２の支持体１４１に拘束された他方の端部を有している。
【００５９】
各ブロック１４２は、その周りに巻かれたそれぞれの第２ケーブル１４３を有し、第２ケーブル１４３は、それぞれのブーム１０２、１０３に沿って移動可能なトロリーに固定された一方の端部と、ジョイント１０４の近くでそれぞれのブーム１０２、１０３の固定箇所に拘束された他方の端部とを有し、第２ケーブル１４３は、それぞれのトロリーに連結された第２のブロックの周りを経由する。
【００６０】
かかるケーブル機構により、２本のブーム１０２、１０３が完全に開くと、２本のブーム１０２、１０３は、弧状要素１０７に対して後方に移動し、且つ、長手方向軸線Ｂが、弧状要素１０７によって定められる平面に対して垂直になるように配置される。
【００６１】
この形態は、ボートＡのデッキに対する弧状要素１０７の傾斜角度を調節することによって、セール１０１がデッキ自体に干渉することなしに、セール１０１の垂直方向位置の変更を可能にする。
【００６２】
タイロッド１３１はケーブルからなり、ケーブルは、２本のブーム１０２、１０３のジョイント１０４と反対側の端部に結合された１対のプーリ１４４の周りを経由し、ケーブルの両端部は、それぞれの弾性ケーブル１４５の一方の端部に拘束され、弾性ケーブル１４５の他方の端部は、それぞれのブームに対する固定箇所に拘束されている。
【００６３】
シート（ロープ）１３２の結合体１３０は、タイロッド１３１に沿って摺動することができるリングを有する。
【００６４】
シートリード１３３は、ボートＡのデッキに連結された第２の弧状要素１７１に沿って摺動するトロリー形の摺動体によって支持されている。第２の弧状要素１７１は、通常プレジャーボート（ヨット）に設けられているロールバーで形成されるのが有利である。
【００６５】
２本のブーム１０２、１０３は、セール１０１を下降させたときに、ボートＡのデッキ上に収容されるか、ボートＡの船体の一方の側（舷）に形成された適当な室２００内に収容されるように、ボートＡの船体の輪郭に従う輪郭を有するように形づくられる。
【００６６】
後者の場合、２本のブーム１０２、１０３を案内する付属物が、弧状要素１０７及び第２の弧状要素１７１の両方から室２００の内部に延びている。
【００６７】
図７〜図１２は、セール１０１を下降した閉形態から持上げて開く段階を順番に示し、下降した閉形態において、２本のブーム１０２、１０３は、一緒にされ、室２００の内部に配置され、弧状要素１０７は、ボートＡのデッキ上に下降されている。
【００６８】
弧状要素１０７をデッキの上に持上げ、それを第２の弧状要素１７１に対して平行に配置した後、２本のブーム１０２、１０３を弧状要素１０７に沿って摺動させることによって、またその補助として、シートリード１３３を第２の弧状要素（ロールバー）１７１に沿って平行に摺動させることによって、２本のブーム１０２、１０３を互い近接させたまま持上げる（図９及び図１０参照）。
【００６９】
その後、下側のブームの中間結合箇所又は結合要素（この場合にはブーム１０３の結合箇所又は結合要素１０６）を弧状要素１０７に沿って下方に摺動させ、セール１０１を開く。
【００７０】
この段階中、上記ケーブル機構により、２本のブーム１０２、１０３は弧状要素１０７に対して後方に移動され、セール１０１の長手方向軸線Ｂは、弧状要素１０７を含む平面に対して垂直になるように配置される。
【００７１】
同時に、タイロッド１３１が２本のブーム１０２、１０３の間で引張られる。
【００７２】
図１３及び図１４は、ボートＡのデッキに対する弧状要素１０７の傾斜を変えることによって得られる、異なる垂直方向位置で開いたセール１０１を示す。
【００７３】
図１５及び図１６は、セール１０１のターン段階を概略的に示す。
【００７４】
下側ブームの中間の結合箇所（この場合、ブーム１０３の中間の結合箇所又は結合要素１０６）を、弧状要素１０７に沿って摺動させ、２本のブーム１０２、１０３を一緒にして移動させ、セール１０１を持上げる。
【００７５】
２本のブーム１０２、１０３の２つの中間の結合箇所又は結合要素１０５、１０６を、閉じたセール１０１のまま、図１５の矢印Ｆで示すように反対側のタックに向かって弧状要素１０７に沿って同時に摺動させる。
【００７６】
次に、下側のブームの中間の結合箇所又は結合要素（この場合は、ブーム１０２の結合箇所又は結合要素１０５）を、弧状要素１０７に沿って下方に摺動させ、セール１０１を開く。
【００７７】
シート（ロープ）１３２の操縦によって、セール１０１の方向を調節すること、すなわちセール１０１を素早く上昇させ又は引張ることを可能にすることを、当業者は容易に理解すべきである。
【００７８】
本発明によるセールシステムの第１実施形態は、弧状ガイド９の嵩が制限されない商業用ボートに特に適している。
【００７９】
一方、本発明によるセールシステムの第２実施形態は、プレジャーボート（ヨット）に特に適している。
【００８０】
上記説明から理解されるように、本発明によるセールシステムは、それがひとたび下降すると、いかなる要素（マスト、シュラウド等）も船体上の視界に入ることがないように、完全に見えなくなる。
【００８１】
このように、本発明のセールシステムは、モータボートでの使用にも適している。
【００８２】
また、本発明のセールシステムは、経験に乏しいユーザでも極めて容易に制御できる。
【００８３】
以上、本発明をその好ましい実施形態について図示の非制限的な目的で説明したが、当業者ならば特許請求の範囲の記載から逸脱することなしに種々の改変及び／又は変更をなし得ることを理解すべきである。例えば、船首位置は、図示の弧状ガイドに対し、種々の形状（例えばＹ型）のガイドに沿って移動させてもよい。
【図１】
0005520321.tif 000002
【図２】
0005520321.tif 000003
【図３ａ】
0005520321.tif 000004
【図３ｂ】
0005520321.tif 000005
【図３ｃ】
0005520321.tif 000006
【図４】
0005520321.tif 000007
【図５】
0005520321.tif 000008
【図６】
0005520321.tif 000009
【図７】
0005520321.tif 000010
【図８】
0005520321.tif 000011
【図９】
0005520321.tif 000012
【図１０】
0005520321.tif 000013
【図１１】
0005520321.tif 000014
【図１２】
0005520321.tif 000015
【図１３】
0005520321.tif 000016
【図１４】
0005520321.tif 000017
【図１５】
0005520321.tif 000018
【図１６】
0005520321.tif 000019